(57)【要約】【課題】  従来の血流計は、生体組織内にレーザー光や超音波を入射させるため、身体部位によっては安全性への配慮が必要である。また、計測の対象が赤血球やヘモグロビンであるため、身体部位の血流量密度の測定には適していない。【解決手段】  照射光に使用する赤色ＬＥＤはピーク波長が６３０ｎｍ〜７５０ｎｍの可視光であり、安全性に問題は無い。また、前記赤色ＬＥＤが身体組織を透過した散乱光をフォトダイオードで受光した光の強さ計測することで、血流量の密度を立体的に確認できる。また、測定時にセンサープローブへの外光の侵入や照射光の回り込みを防ぐ遮光手段を設けることで、暗室を必要としない測定が可能である。【選択図】図１
2014028137.tif 000002
【特許請求の範囲】
【請求項１】
ピーク波長が６３０ｎｍ〜７５０ｎｍの範囲内にある赤色ＬＥＤの光が生体内で散乱光となって透過する特性を利用した血流量計で、身体皮膚内に前述の波長範囲の赤色ＬＥＤの光を照射し、皮膚内を透過した散乱光をフォトダイオードで受光した光の強さを計測することにより、皮膚内の血流量密度の変化を数値で確認できる赤色血流量計。
【請求項２】
遮光を目的として、前記赤色ＬＥＤとフォトダイオードをそれぞれのガイドパイプに収納し、さらに、円筒形のセンサープローブの中に配置することで皮膚に密着させ、外光の侵入と照射光の回り込みを防ぐ手段を設けることと、センサープローブ内の遮光状態を確認できる切り替えスイッチを設けることで、室内での測定が可能で暗室を必要としない請求項１に記載の赤色血流量計。
【発明の詳細な説明】
【技術分野】
【０００１】  本発明は、赤色ＬＥＤ光を利用した赤色血流量計に関する。
【背景技術】
【０００２】  従来の血流計は、レーザー光を用いたレーザー血流計と超音波を用いた超音波血流計があり、いずれの血流計も皮膚内の血管にレーザー光や超音波を入射させ、その反射光を検出して計測するものである（例えば非特許文献１参照）。
また、近赤外線ＬＥＤ光を利用したものもある（例えば特許文献１参照）。
【非特許文献１】  臨床工学講座生体計測装置学  医歯薬出版  ２０１０年３月刊行Ｐ．１２２〜１３１
【特許文献１】  特開２００９−５０４９８  公報
【発明の開示】
【発明が解決しようとする課題】
【０００３】  以上に述べた従来の血流計は計測装置であるとともに、生体組織内にレーザー光や超音波を入射させるため、身体部位によっては安全性に問題があり、眼瞼などへの使用は安全性への配慮が必要である。【０００４】  また、従来の血流計では計測の対象が毛細血管を含む個々の血管の中の赤血球やヘモグロビンである。このため、身体部位の血管網全体の血流量を密度として立体的に測定することには適していない。
【課題を解決するための手段】
【０００５】  本発明は、上記課題を解決するための手段として使用するピーク波長範囲が６３０ｎｍ〜７５０ｎｍの赤色ＬＥＤは可視光線であり、安全性に問題は無い。この前記赤色ＬＥＤは身体組織に入ると散乱光になるため、身体組織を透過した散乱光を受光することで、身体部位の血流量の密度の変化を立体的に測定できるようにしたものである。【０００６】  また、第２の問題解決手段は、前記波長範囲の赤色ＬＥＤを照射光が身体組織を透過した散乱光をフォトダイオードで受光する際、外光の侵入と前記照射光の回り込みを防ぐ遮光手段としてセンサープローブの皮膚への密着面の形状を柔らかい材質を使った円筒形にし、さらに、センサープローブ内の赤色ＬＥＤとフォトダイオードを、皮膚への密着を高めるためにガイドパイプに収納したものである。また、センサープローブ内の遮光状態の確認ができる切り替えスイッチを設けている。【０００７】  上記第１の解決手段による作用は次の通りである。すなわち、前記赤色ＬＥＤが可視光線であることから安全であり、眼瞼を含むすべての身体部位に使用することができる。また、身体組織を透過した散乱光を受光するため、受光量の測定値がそのまま血流量の変化として用いることができる。【０００８】  第２の解決手段による作用は、前記散乱光をフォトダイオードで受光する際に、外光がセンサープローブ内に入らないような形状にすること、また、遮光状態の確認ができる切り替えスイッチを設けることで、室内での測定が可能になり暗室でなくても使用することができる。
【発明の効果】
【０００９】  上述したように本発明の赤色血流量計は、可視光線である赤色ＬＥＤを使用することで安全であり、遮光性を高める構造にしたことで暗室を必要としない、携帯が可能な小型で安価な血流量計を提供できる。【００１０】また、温熱治療などでの治療前と治療後の血流量の変化を確認することができる。さらに、必要な身体部位の血流量の変化を継続的に測定することで、日常の健康維持管理に使用することができる。
【発明を実施するための最良の形態】
【００１１】以下、本発明の実施の形態を図１〜図２に基づいて説明する。【００１２】  図においては、１はセンサープローブで、赤色ＬＥＤ３、フォトダイオード４、をそれぞれガイドパイプ２に収納し、円筒形をしたパッド５内に配置したもので、ケース６でセンサープローブ１が保持されている。【００１３】  ７はデジタル電圧計で、センサープローブ１とはコードで接続されている。電源スイッチ１と切り替えスイッチ９及び表示部１０で構成されている。【００１４】  ガイドパイプ２は内径６ｍｍのプラスチックパイプ２本を用い、その中に赤色ＬＥＤ３とフォトダイオード４をそれぞれ収納している。ガイドパイプ２の２本の切り口を６０°〜７０°内の角度にカットし、カット面を図２のように内側に相対させてセンサープローブ１の中に配置する。【００１５】  パッド５は円筒形で外径４０ｍｍ内径２５ｍｍの軟質スポンジを使用する。また、パッド５の内側に配置される２本のガイドパイプ２の中心点間の距離は約１７ｍｍとする。【００１６】  以下、上記構成の動作使用方法を説明する。センサープローブ１を眼瞼や肩など必要とする身体部位に押し当てて、デジタル電圧計７の電源スイッチ８をＯＮにし、切り替えスイッチ９をＯＦＦにした状態で表示部１０の数値を確認する。切り替えスイッチ９をＯＦＦにした状態は、赤色ＬＥＤ３は電源ＯＦＦでフォトダイオード４のみＯＮになった状態であり、表示部１０の表示は遮光状態の数値を表示する。【００１７】  表示部１０で表示された数値が、例えば遮光状態の基準を０．５ｍＶ以下とした場合は、０．５ｍＶ以下であれば測定を開始し、０．５ｍＶ以上であればセンサープローブ１の押し当てる強さや当てる角度を調整して、基準値以下の数値を確認してから測定を開始する。または、外光が入りにくい場所に移動して、基準値以下の数値を確認してから測定を開始する。【００１８】  測定を開始するには切り替えスイッチ９をＯＮにする。切り替えスイッチ９をＯＮにすると赤色ＬＥＤ３がＯＮになるとともに、フォトダイオード４もＯＮの状態にあり、必要な部位皮膚内の血流量の測定が開始されることになる。【００１９】以上のように、本実施形態による肩や眼瞼などの測定例によれば、温熱治療器を使用した治療前と治療後の本発明品による測定結果から、治療前に比べて血流量の変動が容易に確認でき、簡便な血流量計として提供できるものである。
【図面の簡単な説明】
【００２０】
【図１】  本発明の実施形態を示す赤色血流量計の説明図
【図２】  同センサープローブの内部構成を示す断面図
【符号の説明】
【００２１】  １  センサープローブ
２  ガイドパイプ
３  赤色ＬＥＤ
４  フォトダイオード
５  パッド
６  ケース
７  デジタル電圧計
８  電源スイッチ
９  切り替えスイッチ
１０  表示部
【図１】
2014028137.tif 000003
【図２】
2014028137.tif 000004